(57)【要約】 【課題】本発明は、階調の逆転現象を防止することができるようなプラズマディスプレイパネルの駆動装置及び駆動方法を提供する。【解決手段】本発明のプラズマディスプレイパネルの駆動装置は逆ガンマ補正部から入力されるデータの誤差を拡散するための誤差拡散部と、逆ガンマ補正部に接続され、逆ガンマ補正部から入力されるデータの階調値が階調逆転現象が発生される階調値か否かをチェックして１ビット（ｂｉｔ）の制御信号を生成するための階調逆転チェック部と、誤差拡散部と階調逆転チェック部との間に設けられ、誤差拡散部から入力されるデータの下位ビットに前記１ビットの制御信号を加算するための加算器と、加算器から出力される下位ビットを用いてディザリングを行うディザリング部とを備える。【選択図】図５
2005182025.tif 000002
【特許請求の範囲】
【請求項１】
逆ガンマ補正部から入力されるデータの誤差を拡散するための誤差拡散部と、
前記逆ガンマ補正部に接続され、前記逆ガンマ補正部から入力されるデータの階調値が階調逆転現象が発生される階調値か否かをチェックして１ビット（ｂｉｔ）の制御信号を生成するための階調逆転チェック部と、
前記誤差拡散部と前記階調逆転チェック部との間に設けられ、前記誤差拡散部から入力されるデータの下位ビットに前記１ビットの制御信号を加算するための加算器と、
前記加算器から出力される下位ビットを用いてディザリングを行うディザリング部と、
を備えることを特徴とする、プラズマディスプレイパネルの駆動装置。
【請求項２】
前記階調逆転チェック部は、前記階調逆転現象が発生される階調値が予め格納されているメモリーを備えることを特徴とする、請求項１に記載のプラズマディスプレイパネルの駆動装置。
【請求項３】
前記階調逆転チェック部は、前記階調逆転現象が発生される階調値を有するデータが入力された時に「１」の１ビット制御信号を生成し、その他の場合に「０」の１ビット制御信号を生成することを特徴とする、請求項１又は２に記載のプラズマディスプレイパネルの駆動装置。
【請求項４】
前記誤差拡散部と前記加算器との間に設けられ前記誤差拡散部から入力される下位ビットが全て「１」の場合、前記下位ビットを前記ディザリング部に供給し、その他の場合に前記下位ビットを前記加算器に供給するための比較部をさらに備えることを特徴とする、請求項１乃至３の何れかに記載のプラズマディスプレイパネルの駆動装置。
【請求項５】
現在入力されるデータの誤差を拡散する段階と、
前記現在入力されるデータの階調値が階調逆転現象が発生される階調値か否かをチェックして１ビットの制御信号を生成する段階と、
前記誤差拡散されたデータの下位ビットに前記１ビットの制御信号を加算する段階と、
前記１ビットの制御信号が加算された下位ビットを用いてディザリングを行う段階と、
を含むことを特徴とするプラズマディスプレイパネルの駆動方法。
【請求項６】
前記１ビットの制御信号を生成する段階は、
前記データの階調値が前記階調逆転現象が発生される階調値である場合に「１」の１ビット制御信号を生成し、その他の場合に「０」の１ビット制御信号を生成することを特徴とする、請求項５に記載のプラズマディスプレイパネルの駆動方法。
【請求項７】
前記誤差拡散されたデータの下位ビットが全て「１」の場合、前記１ビットの制御信号を加算することなく、前記ディザリングを行うことを特徴とする、請求項５又は６に記載のプラズマディスプレイパネルの駆動方法。
【請求項８】
前記階調逆転現象が発生される階調値か否かをチェックする段階は、階調逆転現象が発生される階調値が予め格納されているメモリーの内容と、入力されるデータの階調値とを比較してチェックすることを特徴とする、請求項５乃至７の何れかに記載のプラズマディスプレイパネル駆動方法。
【発明の詳細な説明】
【技術分野】
【０００１】
本発明は、プラズマディスプレイパネルの駆動装置及び駆動方法に関し、特に、階調の逆転現象を防止することができるようなプラズマディスプレイパネルの駆動装置及び駆動方法に関する。
【背景技術】
【０００２】
プラズマディスプレイパネル（Ｐｌａｓｍａ  Ｄｉｓｐｌａｙ  Ｐａｎｅｌ：以下、「ＰＤＰ」と称する）は、ガス放電によって発生する真空紫外線が蛍光体を励起させるときに蛍光体から可視光線が発生することを用いた表示装置である。ＰＤＰは、今まで表示手段の主となってきた陰極線管（Ｃａｔｈｏｄｅ  Ｒａｙ  Ｔｕｂｅ：ＣＲＴ）に比べて厚さが薄くて軽く、高鮮明／大画面の具現が可能であるという長所がある。ＰＤＰは、マトリックス形態に配列された多数の放電セルからなり、一つの放電セルは画面の一画素を成す。
【０００３】
図１は、従来の３電極交流面放電型ＰＤＰの放電セルの構造を示した斜視図である。
【０００４】
図１を参照すれば、従来の３電極交流面放電型ＰＤＰの放電セルは、上部基板１０上に形成された走査電極１２Ｙ及び維持電極１２Ｚと、下部基板１８上に形成されたアドレス電極２０Ｘとを備える。
【０００５】
走査電極１２Ｙと維持電極１２Ｚが並んで形成された上部基板１０には、上部誘電体層１４と保護膜１６が積層される。上部誘電体層１４には、プラズマ放電時に発生した壁電荷が蓄積される。保護膜１６は、プラズマ放電時に発生したスパッタリングによる上部誘電体層１４の損傷を防止するとともに２次電子の放出効率を高める。保護膜１６としては通常酸化マグネシウム（ＭｇＯ）が用いられる。
【０００６】
アドレス電極２０Ｘが形成された下部基板１８上には、下部誘電体層２２と、隔壁２４が形成され、下部誘電体層２２と隔壁２４との表面には蛍光体層２６が塗布される。アドレス電極２０Ｘは、走査電極１２Ｙ及び維持電極１２Ｚと交差する方向に形成される。
【０００７】
隔壁２４は、アドレス電極２０Ｘと並んで形成されて放電によって生成された紫外線及び可視光が隣接した放電セルに漏洩することを防止する。蛍光体層２６は、プラズマ放電時に発生した紫外線によって励起されてＲ、Ｇ又はＢの何れか一つの可視光線を発生するようになる。上部基板１０と、下部基板１８と隔壁２４との間に設けられた放電空間にはガス放電のための不活性ガスが注入される。
【０００８】
このようなＰＤＰは、画像の階調（Ｇｒａｙ  Ｌｅｖｅｌ）を表現するために一つのフレームを、放電回数の異なる複数のサブフィールドに分けて駆動している。各サブフィールドは、さらに放電を一様に起こすためのリセット期間と、放電セルを選択するためのアドレス期間と、放電回数によって階調を表現するサステイン期間とに分けられる。
【０００９】
例えば、２５６階調で画像を表示しようとする場合、１／６０秒に該当するフレーム期間（１６.６７ｍｓ）は、図２のように、８個のサブフィールドＳＦ１〜ＳＦ８に分けられる。なお、８個のサブフィールドＳＦ１〜ＳＦ８のそれぞれは、リセット期間、アドレス期間及びサステイン期間に再び分けられる。ここで、各サブフィールドのリセット期間及びアドレス期間は各サブフィールド毎に同一である反面、サステイン期間は各サブフィールドにおいて２ｎ（ｎ＝０、１、２、３、４、５、６、７）の割合で増加する。
【００１０】
図３は、従来の３電極交流面放電型ＰＤＰの駆動方法を示す波形図である。
【００１１】
図３を参照すれば、一つのサブフィールドは全画面を初期化するリセット期間と、全画面を線順次方式でスキャンしながらデータを書き込むアドレス期間と、データが書き込まれたセルの発光状態を維持させるサステイン期間とに分けられる。
【００１２】
先ず、リセット期間には、走査電極ラインＹ１〜Ｙｍにリセット波形ＲＰが供給される。走査電極ラインＹ１〜Ｙｍにリセット波形ＲＰが供給されると走査電極ラインＹ１〜Ｙｍと維持電極ラインＺ１〜Ｚｍとの間にリセット放電が発生して放電セルが初期化される。
【００１３】
アドレス期間には、走査電極ラインＹ１〜ＹｍにスキャンパルスＳＰが順次的に印加される。アドレス電極ラインＸ１〜Ｘｎには、スキャンパルスＳＰに同期されるデータパルスＤＰが印加される。このとき、データパルスＤＰ及びスキャンパルスＳＰが印加された放電セルにおいてはアドレス放電が起きる。
【００１４】
サステイン期間には、走査電極ラインＹ１〜Ｙｍ及び維持電極ラインＺ１〜Ｚｍに第１及び第２サステインパルスＳＵＳＰｙ、ＳＵＳＰｚが交番的に供給される。このとき、アドレス放電が発生した放電セルにおいてはサステイン放電が発生する。
【００１５】
このようなＰＤＰにおいて、明るさは、数式１によって決定される。
【００１６】
【数１】
2005182025.tif 000003
【００１７】
ここで、Ｂは明るさ、Ａはサブフィールドマッピング情報、ｋはサブフィールド数、Ｎはサブフィールド加重値及びｓはサステインパルスの１回放電の明るさを示す。
【００１８】
ゲイン（ｇａｉｎ）は、階調数に対するサステイン数の比を用いて求められる。言い換えれば、ゲイン＝全体サステイン数 ／（階調レベル−１）になる。例えば、総サステイン数が２５５個であり、全体階調数が２５６の場合にゲインは「１」に設定される。
【００１９】
サブフィールドマッピング情報Ａは、アドレス期間の選択情報を示す。例えば、アドレス期間に放電セルが選択されると「１」に設定され、アドレス期間に選択されないと「０」に設定される。Ｎは現在サブフィールド数ｋに対応するサブフィールドの加重値を示す。ｓは１回サステイン放電によって発生される明るさを示す。
【００２０】
例えば、プラズマディスプレイパネルにおいて、ゲインが１に設定されるとともに１２個のサブフィールドを含み、そのサブフィールドの加重値が１、２、４、８、１６、３２、３２、３２、３２、３２、３２、３２に設定されると、ＰＤＰの明るさは表１のように設定される。
【００２１】
【表１】
2005182025.tif 000004
【００２２】
ここで、「×」は階調が表現されないことを示し、「O」は階調が表現されることを示す。表１から分かるように、ＰＤＰは１２個のサブフィールドを含み、１、２、４、８、１６、３２、３２、３２、３２、３２、３２、３２の輝度加重値を用いて２５６の階調を表現するようになる。
【００２３】
表１は、サステイン放電によって発生される光のみを考慮してＰＤＰの明るさを示す。しかし、実際に駆動されるＰＤＰは、サステイン放電だけではなくリセット放電及びアドレス放電によっても光が発生される。このように、リセット放電、アドレス放電及びサステイン放電を含んで階調を表現すると、図４のように、階調の逆転現象が発生する。言い換えれば、ｎ（ｎは自然数）の階調で表現されるＰＤＰの明るさよりｎ−１の階調で表現されるＰＤＰの明るさがさらに明るく設定される場合が発生する。
【００２４】
これを詳しく説明すると、表１に示したように、３１階調を表現するためには１、２、４、８、１６の輝度加重値を有するサブフィールドが選択されなければならない。従って、３１階調を表現するためには５個のサブフィールドにおいてアドレス放電が起きる。これに反し、３２階調を表現するためには３２の輝度加重値を有するサブフィールドが選択されなければならない。従って、３２階調を表現するためには一つのサブフィールドにおいてアドレス放電が起きる。このとき、アドレス放電によって発生する光によって３１階調と３２階調との間の輝度逆転現象が発生する。言い換えれば、３１階調が３２階調より明るい光を発生する。
【００２５】
実際のリセット放電及びアドレス放電で発生する光を含んだＰＤＰの明るさは、数式２によって決定される。
【００２６】
【数２】
2005182025.tif 000005
【００２７】
ここで、Ｌは初期にリセットされるサブフィールドの数、ｒはリセットパルスの１回放電の明るさ、及びａはアドレスパルスの１回放電の明るさを示す。
【００２８】
Ｌはリセット放電が起きるサブフィールドの数を示す。例えば、ＰＤＰにおいて１２個のサブフィールドを含み、この１２個のサブフィールドにおいてリセット放電が起きると、Ｌは１２に設定されるようになる。
【００２９】
数式２では、数式３のようなマトリックスが誘導されることができる。
【００３０】
【数３】
2005182025.tif 000006
【００３１】
一方、従来のＰＤＰにおいては、サステイン期間にサステイン放電を安定化させるためにサステインパルス対が各サブフィールド毎に追加供給される。このようなサステインパルス対から発生する光を含んだＰＤＰの明るさは、数式４によって決定される。
【００３２】
【数４】
2005182025.tif 000007
【００３３】
このような数式４から数式３のようなマトリックスが誘導され、これを用いてr、ａ、sの値を求めることができる。実際にr（リセットパルスの１回放電の明るさ）の値は０.２０８８１５［ｃｄ／ｍ２］、ａ（アドレスパルスの１回放電の明るさ）の値は０.４１３３９６［ｃｄ／ｍ２］、s（サステインパルスの１回放電の明るさ）の値は０.４４５５３［ｃｄ／ｍ２］で表れる。ここで、r、ａ及びsの値は実際の明るさではなく、数式から計算された値で、このr、ａ及びsの値を代入すると実際の明るさと類似の明るさを得ることができる。
【００３４】
このようなリセットパルスの放電明るさ、アドレスパルスの放電明るさ及びサステインパルスの放電明るさを含んだＰＤＰの明るさ、すなわち、数式４によるＰＤＰの明るさは、表２のように示すことができる。
【００３５】
【表２】
2005182025.tif 000008
【００３６】
表２において、「０」の階調では１２個のサブフィールドから発生されるリセットパルスの明るさだけが表れる。「１」の階調では１の輝度加重値に該当するサステイン明るさと、一つのサステインパルス対による明るさと、１２個のリセットパルスによる明るさと、一つのアドレス放電による明るさが表れる。さらに、「３１」の階調では３１の輝度加重値に該当するサステイン明るさと、５個のサステインパルス対による明るさと、１２個のリセットパルスによる明るさ及び５個のアドレス放電による明るさが表れる。そして、「３２」の階調では３２の輝度加重値に該当するサステイン明るさと、一つのサステインパルス対による明るさと、１２個のリセットパルスによる明るさと、一つのアドレス放電による明るさが表れる。
【００３７】
ここで、３１の階調にr、ａ、sの値を代入すると、ＰＤＰでは「２０.６１１８４」の明るさが表現される。さらに、３２の階調にr、ａ、sの値を代入すると、ＰＤＰでは「１７.６２１６６」の明るさが表現される。すなわち、従来のＰＤＰでは階調の逆転現象が発生し、これによって線形的な明るさを有する映像を表現することができなかった。
【発明の開示】
【発明が解決しようとする課題】
【００３８】
本発明の課題は、階調の逆転現象を防止することができるようなプラズマディスプレイパネルの駆動装置及び駆動方法を提供することである。
【課題を解決するための手段】
【００３９】
発明１に係るプラズマディスプレイパネルの駆動装置は、逆ガンマ補正部から入力されるデータの誤差を拡散するための誤差拡散部と、逆ガンマ補正部に接続され、逆ガンマ補正部から入力されるデータの階調値が階調逆転現象が発生される階調値か否かをチェックして１ビット（ｂｉｔ）の制御信号を生成するための階調逆転チェック部と、誤差拡散部と階調逆転チェック部との間に設置され誤差拡散部から入力されるデータの下位ビットに前記１ビットの制御信号を加算するための加算器と、加算器から出力される下位ビットを用いてディザリングを行うディザリング部とを備える。
【００４０】
発明２に係るプラズマディスプレイパネルの駆動装置は、発明１に記載の装置において、階調逆転チェック部は、階調逆転現象が発生される階調値が予め格納されているメモリーを備える。
【００４１】
発明３に係るプラズマディスプレイパネルの駆動装置は、発明１又は２に記載の装置において、階調逆転チェック部は、階調逆転現象が発生される階調値を有するデータが入力されるときに「１」の１ビット制御信号を生成し、その他の場合に「０」の１ビット制御信号を生成する。
【００４２】
発明４に係るプラズマディスプレイパネルの駆動装置は、発明１から３のいずれかに記載の装置のおいて、前記誤差拡散部と加算器との間に設けられ、誤差拡散部から入力される下位ビットが全て「１」の場合、下位ビットをディザリング部に供給し、その他の場合に下位ビットを加算器に供給するための比較部をさらに備える。
【００４３】
発明５に係るプラズマディスプレイパネルの駆動方法は、現在入力されるデータの誤差を拡散する段階と、現在入力されるデータの階調値が階調逆転現象が発生される階調値か否かをチェックして１ビットの制御信号を生成する段階と、誤差拡散されたデータの下位ビットに１ビットの制御信号を加算する段階と、１ビットの制御信号が加算された下位ビットを用いてディザリングを行う段階とを含む。
【００４４】
発明６に係るプラズマディスプレイパネルの駆動方法は、発明５に記載の方法において、１ビットの制御信号を生成する段階はデータの階調値が階調逆転現象が発生される階調値であるときに「１」の１ビット制御信号を生成し、その他の場合に「０」の１ビット制御信号を生成する。
【００４５】
発明７に係るプラズマディスプレイパネルの駆動方法は、発明５又は６に記載の方法において、誤差拡散されたデータの下位ビットが全て「１」である場合、１ビットの制御信号を加算せず、ディザリングを行う。
【発明の効果】
【００４６】
本発明によるプラズマディスプレイパネルの駆動装置及び駆動方法によると、階調の逆転が発生されるデータのディザリングを行うとき、このデータの最下位ビットに「１」を加算することで、表現される階調値を向上させることができ、これによって階調逆転現象を防止することができる。
【発明を実施するための最良の形態】
【００４７】
以下、図５〜図９を参照して、本発明の望ましい実施形態について説明する。
【００４８】
図５は、本発明の実施形態に係るプラズマディスプレイパネルの駆動装置を示す図である。
【００４９】
図５を参照すれば、本発明の実施形態によるＰＤＰの駆動装置は、第１逆ガンマ補正部３２Ａとデータ整列部４２との間に接続されたゲイン調整部３４、誤差拡散部３６、ディザリング部３８及びサブフィールドマッピング部４０と、第２逆ガンマ補正部３２Ｂと波形発生部４６との間に接続されたＡＰＬ（Ａｖａｒａｇｅ  Ｐｉｃｔｕｒｅ  Ｌｅｖｅｌ）計算部４４と、第１逆ガンマ補正部３２Ａとディザリング部３８との間に接続された階調逆転チェック部５０及び加算器５２と、誤差拡散部３６と加算器５２との間に接続された比較部５４とを備える。
【００５０】
第１及び第２逆ガンマ補正部３２Ａ、３２Ｂは、入力ライン３０からのデジタルビデオデータＲＧＢを逆ガンマ補正して映像信号の階調値に対する輝度を線形的に変換させる。
【００５１】
ゲイン調整部３４は、Ｒ、Ｇ及びＢの各データ別に有効利得を調整して色温度を補償する。
【００５２】
サブフィールドマッピング部４０は、ディザリング部３８から入力されたデータを各ビット別に予め格納されているサブフィールドパターンにマッピングし、そのマッピングデータをデータ整列部４２に供給する。
【００５３】
データ整列部４２は、サブフィールドマッピング部４０から入力されるデジタルビデオデータをパネル４８のデータ駆動回路に供給する。データ駆動回路は、パネル４８のデータ電極に接続され、データ整列部４２から入力されるデータを１水平ライン分ずつラッチした後に、ラッチされたデータを１水平期間単位でパネル４８のアドレス電極に供給する。
【００５４】
ＡＰＬ計算部４４は、第２逆ガンマ補正部３２Ｂから入力されるデジタルビデオデータＲＧＢに対して一画面単位で平均輝度、すなわち、ＡＰＬを計算し、計算されたＡＰＬに対応してサステインパルス数の情報を出力する。
【００５５】
波形発生部４６は、ＡＰＬ計算部４４からのサステインパルス数の情報に応答してタイミング制御信号を生成し、そのタイミング制御信号を図示しないスキャン駆動回路とサステイン駆動回路とに供給する。スキャン駆動回路とサステイン駆動回路とは波形発生部４６から入力されるタイミング制御信号に応答し、サステイン期間中にパネル４８のスキャン電極とサステイン電極とにサステインパルスを供給する。
【００５６】
誤差拡散部３６は、ゲイン調整部３４から入力されるデジタルビデオデータＲＧＢの誤差を隣接したセルに拡散させることによって、輝度値を微細に調整する。
【００５７】
階調逆転チェック部５０は、現在入力されるデータの階調値から階調逆転現象が発生されるか否かをチェックする。ディザリング部３８は、ディザマスクパターンを用いて階調の輝度値を微細に調整する。そして、ディザリング部３８は、階調逆転チェック部５０の制御によって、階調逆転現象が発生されないように階調の輝度値を調整する（実際に加算器５２で加算された１ビットの「１」によって階調の輝度値が調整される）。すなわち、本発明においては、ディザリング部３８で階調逆転現象が発生される階調の輝度値を調整することによって、階調の逆転現象を防止する。
【００５８】
これを詳しく説明すると、まず、第１逆ガンマ補正部３２Ａから出力されるビデオデータは、図６のように、整数部と小数部とに分けられる（図６において、Ｘは「１」又は「０」）。例えば、外部からｉ（ｉは自然数）ビットビデオデータが入力される場合，第１逆ガンマ補正部３２Ａは階調値に対する輝度が線形的に変換されるように、８ビットの整数部と８ビットの小数部とを有する補正されたビデオデータを出力する。
【００５９】
第１逆ガンマ補正部３２Ａから出力されるビデオデータはゲイン調整部３４を経由して誤差拡散部３６及び階調逆転チェック部５０に供給される。
【００６０】
誤差拡散部３６は自分に入力されるビデオデータを誤差拡散する。例えば、誤差拡散部３６は、図７のように、１／１６、５／１６、３／１６、７／１６の加重値を用いて誤差拡散演算を行う。言い換えれば、Ｐ１画素の小数部に１／１６の加重値を、Ｐ２画素の小数部に５／１６の加重値を、Ｐ３画素の小数部に３／１６の加重値を、Ｐ４画素の小数部に７／１６の加重値を与えて、誤差拡散演算を行う。そして、誤差拡散部３６は、誤差拡散パターンの発生が防止されるようにランダムな係数Ｒを誤差拡散演算に用いる。このような誤差拡散は自分に入力されるビデオデータの小数部の中の一定ビット、例えば、下位５ビットを用いて行われる。
【００６１】
階調逆転チェック部５０は、第１逆ガンマ補正部３２Ａから入力されるデータの階調値が階調逆転現象が発生される階調か否かをチェックする。これを詳しく説明すると、まず、階調逆転チェック部５０は、第１逆ガンマ補正部３２Ａからデータの入力を受ける。以後、階調逆転チェック部５０は、自分に入力された階調が階調逆転現象が発生される階調か否かをチェックする。このため、階調逆転チェック部５０は図示しないメモリーを備える。メモリーには、階調逆転現象が発生される階調（例えば、３２階調）が予め格納されている（実際、実験的に階調逆転が発生される階調がメモリーに格納される）。
【００６２】
従って、階調逆転チェック部５０は現在入力されるデータの階調値と自分のメモリーに格納された階調値を比べて、現在入力されるデータの階調値から階調逆転現象が発生されるか否かをチェックする。ここで、階調逆転チェック部５０は、階調の逆転現象が発生されると、１ｂｉｔの「１」を加算器５２に供給し、階調の逆転現象が発生しないと、１ｂｉｔの「０」を加算器５２に供給する。
【００６３】
加算器５２は、誤差拡散部３６から入力されるデータの下位ビット（例えば、小数部８ビットの下位３ビット）と階調逆転チェック部５０から入力される１ｂｉｔとを加算する。例えば、誤差拡散部３６で下位ビットが「０１０」が入力され、階調逆転チェック部５０で「１」が入力される場合、加算器５２は「０１１」をディザリング部３８に供給する。一方、下位ビットが「１１１」の場合、階調逆転チェック部５０から入力される１ｂｉｔが加算されないように、加算器５２の前端には比較部５４が設けられる。誤差拡散部３６と加算器５２との間に設けられる比較部５４は、自分に供給される下位ビットが「１１１」の場合、ディザリング部３８に供給し、その他の場合には加算器５２に供給する。
【００６４】
ディザリング部３８は、加算器５２から入力される下位ビットを用いてディザリングを行う。例えば、ディザリング部３８は自分に入力されたデータの下位ビットが「０１１」の場合、図８のようなディザマスクパターンで３／８階調に該当するディザマスクパターンを用いてディザリングを行う。
【００６５】
ディザマスクパターンは一例として、図８のように、０、１／８、２／８、３／８、４／８、５／８、６／８、７／８、７／８階調に設定され、各ディザマスクパターンでディザ値「１」に設定されたセルの数は０個、２個、４個、６個、８個、１０個、１２個、１４個の順に増加することが分かる。そして、４個のフレーム１Ｆ〜４Ｆ別にディザ値「１」に設定されたセルの位置が交互に変わることが分かる。ここで、ディザ値「１」は、セルがオン（ｏｎ）となることを意味し、ディザ値「０」は、セルがオフ（ｏｆｆ）となることを意味する。
【００６６】
ディザリング部３８は、自分に入力されたデータの下位ビットを用いてディザマスクパターンを選択し、このディザマスクパターンによってディザリングを行う（ここで、下位ビットの値が増加すればするほど、セルがオンとなる確率は増加する）。ここで、ディザリング部３８は階調逆転が発生される階調では「１」が加わった下位ビットを用いてディザリングを行うため、すなわち、ディザリングでオンとなるセルが確率的に増加するため、階調の逆転現象を防止することができる。実際に、本発明を適用すると、図９のように、階調の逆転現象が発生することなく、これによって線形的な明るさを有する画像を表示することができる。
【図面の簡単な説明】
【００６７】
【図１】従来の３電極交流面放電型プラズマディスプレイパネルの放電セルの構造を示す斜視図。
【図２】プラズマディスプレイパネルの一つのフレームに含まれる多数のサブフィールドを示す図。
【図３】図２に示したサブフィールド期間にそれぞれの電極に供給される駆動波形を示す波形図。
【図４】従来のプラズマディスプレイパネルの階調逆転現象を示す図。
【図５】本発明の実施形態に係るプラズマディスプレイパネルの駆動装置を示す図。
【図６】図５に示した逆ガンマ補正部の出力フォーマットを示す図。
【図７】図５に示した誤差拡散部の動作過程を示す図。
【図８】図５に示したディザリング部においてディザリングを行うとき、参考するディザマスクパターンを示す図。
【図９】本発明の実施形態により表現される階調を示す図。
【図１】
2005182025.tif 000009
【図２】
2005182025.tif 000010
【図３】
2005182025.tif 000011
【図４】
2005182025.tif 000012
【図５】
2005182025.tif 000013
【図６】
2005182025.tif 000014
【図７】
2005182025.tif 000015
【図８】
2005182025.tif 000016
【図９】
2005182025.tif 000017